(57)【要約】      （修正有）【課題】原子力発電設備の給復水系統における水抜き作業の自動化を図ることができ、当該水抜き作業にかかる人員および労力の大幅な削減を可能とする原子力発電設備用水抜きシステムを提供する。【解決手段】給復水に係る系統配管のうち最上部に位置する配管にハイベント空気注入装置２００を設けると共に、復水系配管または復水系配管および給水系配管のうち最下部に位置する配管にボトムドレン調節装置３００を設け、ハイベント側では圧縮空気を送気し、ボトムドレン側ではサンプ水位調節機能を設けた調節弁を用いてサンプ水位を自動で監視しながらドレン流量を調節する。系統隔離実施後、ハイベント空気注入装置２００とボトムドレン調節装置３００のみで系統水抜きを行い、ボトム側調節弁に付属している水位発信器により水位を検知して空気を遮断し、その他配管における溜り水は、手動弁を数箇所開放するだけで水抜き作業が完了する。【選択図】図１
2017067669.tif 000002
【特許請求の範囲】
【請求項１】
原子力発電設備の給水および復水に係る系統配管に、当該系統配管に設けられた既存のバルブを介して着脱自在に接続可能な水抜きシステムであって、
前記系統配管のうち最上部に位置する配管に設けられる空気注入装置と、
復水系配管のうち最下部に位置する配管に設けられるドレン調節装置と、を備え、
前記空気注入装置は、前記原子力発電設備内用の空気系統から送気される圧縮空気を前記最上部に位置する配管に注入し、
前記ドレン調節装置は、サンプタンクの水位調節機能を有する調節弁を用いてサンプ水位を自動で監視しながら、前記最下部に位置する配管におけるドレン流量を調節する
ことを特徴とする原子力発電設備用水抜きシステム。
【請求項２】
前記空気注入装置によって注入される前記圧縮空気は、大気圧よりも高い圧力からなる
ことを特徴とする請求項１に記載の原子力発電設備用水抜きシステム。
【請求項３】
前記系統配管の隔離実施後、前記空気注入装置と前記ドレン調節装置のみで前記系統配管の水抜き作業を行い、前記調整弁により前記サンプタンクの水位を検知しながら前記圧縮空気を遮断する
ことを特徴とする請求項１または２に記載の原子力発電設備用水抜きシステム。
【請求項４】
前記調節弁は、前記サンプタンクの水位を検出する水位検出装置と接続されており、当該水位検知装置の検出結果に基づいて、前記サンプタンクの水位を調節する
ことを特徴とする請求項１〜３のいずれか一項に記載の原子力発電設備用水抜きシステム。
【発明の詳細な説明】
【技術分野】
【０００１】
本発明は、原子力発電設備における給復水系統の水抜きシステムに関する。
【背景技術】
【０００２】
一般に、原子力発電設備では、原子炉において、冷却材を加熱して蒸気を発生させ、発生した蒸気によって蒸気タービンを駆動しており、蒸気タービンを通過した蒸気は復水器によって冷却されて液化される。復水器においては、多量の海水が冷却水として取水路を通って循環ポンプによって熱交換部に送られ、蒸気と熱交換した後、放水路を通って海に放出される。
【０００３】
ところで、原子力発電設備においては定期点検（以下、これを適宜、「定検」とも称する）が義務付けられており、この際、原子炉を一定期間停止（休止）させる。この定検では、タービン建屋に配設される給復水系統（復水器で回収した復水を浄化して原子炉へ供給する系統）の機器や配管を点検するために、水抜き作業を実施する。
【０００４】
このような機器および配管の水抜き作業では、系統隔離後に運転員がドレン・ベント弁を手動で開放し、サンプタンクを溢水させないようにドレン量を調節しながら水抜きを行っている。このため、タービン建屋における最も高い最上部位置（例えば、２階）に配設されたベント弁と、最も低い最下部位置（例えば、地下３階）に配設されたドレン弁との間に落差がある場合、ドレン量の管理および手動弁を操作するための複数人の運転員が必要であった。
【０００５】
また、系統配管の水頭の関係上から最も低い位置に配設されたドレン弁が微開状態でないと、その先に配置されたサンプタンクに流入する水量が許容容量よりも多くなり、サンプポンプを運転してもサンプタンク自体から水が漏洩（オーバーフロー）してしまう。このため、運転員が手動でドレンサンプのレベルを確認しながら、ドレン弁の開放量を調節して水抜きしなければならず、複数の運転員がドレン量の管理とドレン弁の操作に労力を費やしていた。
【０００６】
そのため、従来、このような水抜き作業に掛かる運転員と労力の削減を図るべく、例えば特許文献１および特許文献２に記載される技術が開発されている。
【０００７】
すなわち、特許文献１の技術では、排水先のドレンサンプのベント管を系統配管の最上部位置より高い位置に配置することにより、水頭圧差を利用してドレンサンプのベント管から逆流を防止し、漏水の発生を防ぐことを可能としている。つまり、簡便な構造でサンプタンクから水が漏洩するのを防止でき、水抜き作業に伴うドレン・ベント弁の開度を増加することにより水抜きを早くする（水抜き作業の短縮化を図る）ようにしている。
【０００８】
また、特許文献２の技術では、定検中に原子炉の主蒸気出口側に仮設されたラインプラグ装置から、プラグの気密維持のために用いる圧縮空気を利用して主蒸気管内を加圧し、速やかに主蒸気管内の水を排出することで作業員の労力軽減を図るようにしている。さらに、特許文献２の技術では、液体検知センサーおよび排気処理装置（フィルタ）を用いて排水の自動化および排出に用いた圧縮空気を処理するようにしている。
【先行技術文献】
【特許文献】
【０００９】
【特許文献１】特開２０１２−９８１７２号公報
【特許文献２】特開２００２−１５６４８６号公報
【発明の概要】
【発明が解決しようとする課題】
【００１０】
しかしながら、これら特許文献１および２には、以下のような問題があった。例えば、特許文献１の技術では、従来通り配管系統の多数のドレン・ベント弁の操作は実施することになり、労力の削減には繋がらない問題があった。また、サンプ内を水で満たし、静水頭圧をかけることで、サンプポンプとサンプタンクの上部蓋との間に特別のシールを設ける等、サンプタンクそのものを大きく改造する必要があった。
【００１１】
また、特許文献２の技術では、装置自体が主蒸気系の水抜きに限られており、他の配管系統の水抜きの汎用性がなかった。加えて、ラインプラグ装置の取り付けには専門的知識を持った作業員が必要であり、このような仮設装置の取り付けが簡便ではないといった問題があった。
【００１２】
そこで、本発明は上述したような問題に鑑みなされたものであり、原子力発電設備の給復水系統における水抜き作業の自動化を図ることができ、当該水抜き作業にかかる人員および労力の大幅な削減を可能とする原子力発電設備用水抜きシステムを提供するものである。
【課題を解決するための手段】
【００１３】
上記目的を達成するため、本発明に係る原子力発電設備用水抜きシステムは、
原子力発電設備の給水および復水に係る系統配管に、当該系統配管に設けられた既存のバルブを介して着脱自在に接続可能な水抜きシステムであって、
前記系統配管のうち最上部に位置する配管に設けられる空気注入装置と、
復水系配管のうち最下部に位置する配管に設けられるドレン調節装置と、を備え、
前記空気注入装置は、前記原子力発電設備内用の空気系統から送気される圧縮空気を前記最上部に位置する配管に注入し、
前記ドレン調節装置は、サンプタンクの水位調節機能を有する調節弁を用いてサンプ水位を自動で監視しながら、前記最下部に位置する配管におけるドレン流量を調節する
ことを特徴とする。
【００１４】
このとき、前記空気注入装置によって注入される前記圧縮空気は、大気圧よりも高い圧力からなることが望ましい。
【００１５】
また、前記系統配管の隔離実施後、前記空気注入装置と前記ドレン調節装置のみで前記系統配管の水抜き作業を行い、前記調整弁により前記サンプタンクの水位を検知しながら前記圧縮空気を遮断することが好ましい。
【００１６】
しかも、前記調節弁は、前記サンプタンクの水位を検出する水位検出装置と接続されており、当該水位検知装置の検出結果に基づいて、前記サンプタンクの水位を調節することが好ましい。
【発明の効果】
【００１７】
本発明によれば、原子力発電設備の給復水系統における水抜き作業の自動化を図ることができ、当該水抜き作業にかかる人員および労力を大幅に削減できる。
【図面の簡単な説明】
【００１８】
【図１】本発明の実施形態による原子力発電設備用水抜き装置が設けられた原子力発電設備の給復水系統を示す概要図である。
【図２】図１中のハイベント空気注入装置を示す概要図である。
【図３】図１中のボトムドレン調節装置を示す概要図である。
【図４】他の実施形態におけるハイベント空気注入装置を示す概要図である。
【図５】他の実施形態におけるボトムドレン調節装置を示す概要図である。
【発明を実施するための形態】
【００１９】
以下、本発明の一実施形態について図面を参照しながら説明する。
図１は、本発明の実施形態による原子力発電設備用水抜きシステムが設けられた原子力発電設備の給復水系統を示す概要図である。なお、図中の実線で表す矢印は炉水の流れる方向を示している。
【００２０】
図１に示すように、本実施形態における原子力発電プラントは、例えば改良沸騰水型原子力発電設備（ＡＢＷＲ：Advanced Boiling Water Reactor）であり、原子炉建物内に配置される原子炉圧力容器１００と、タービン建物内に配置されるタービン１０１（高圧タービン１０１ａ，低圧タービン１０１ｂ）とを備えている。原子炉圧力容器１００の内部には炉心１０２が備わり、この炉心１０２を取り囲むように、不図示の炉心シュラウドやシュラウドサポートや炉心サポート等の原子炉内構造材料が設置されている。また、炉心１０２内には、不図示の制御棒や燃料集合体が載置されていると共に、原子炉圧力容器１００の下部には、複数の原子炉冷却材再循環ポンプ（ＲＩＰ）１０３が備えられている。
【００２１】
炉心１０２に供給される炉水は、燃料集合体の核分裂反応によって加熱され、蒸気となる。この蒸気は、主蒸気管１０４によってタービン建物内の高圧タービン１０１ａ，低圧タービン１０１ｂへ導かれる。高圧タービン１０１ａ，低圧タービン１０１ｂは、この蒸気によって駆動され、それぞれの出力軸に連結された発電機１０５を回転駆動し発電を行う。そして、発電機１０５で発電された電力は、主変圧器５０を介し、タービン建物外の送電線５１によって需要家に供給（送電）される。
【００２２】
ここで、主蒸気管１０４における高圧タービン１０１ａと低圧タービン１０１ｂとの間には、湿分分離加熱器１０１ｃが設けられている。また、この主蒸気管１０４の途中からは、タービンバイパス配管１０６が分岐し、タービンバイパス配管１０６の途中に設けられたタービンバイパス弁１０７を開閉することにより、蒸気はタービン１０１を経由せずに、復水器１０８へ供給される。
【００２３】
復水器１０８には、海水などの冷却水が循環ポンプ（不図示）を介して供給されており、タービン１０１から排出された蒸気は復水器１０８内部で冷却されて凝縮し、復水する。復水器１０８により生成された復水は、低圧復水ポンプ１０９によって、復水ろ過装置ＣＦ、復水脱塩装置ＣＤ、蒸気式空気抽出器ＥＪ、グランド蒸気復水器ＴＧＳに送水され、その中の不純物がイオン交換樹脂等によって除去される。復水器１０８から脱気された放射性非凝縮ガスおよびガス中の水蒸気は、気体廃棄物処理系６０を経て処理され、排気塔６１から排気される。
【００２４】
また、不純物が除去された復水は、その後、高圧復水ポンプ１１０によって送水され、復水器１０８に内蔵される低圧給水加熱器１１１（この場合、第１〜第４の４つの低圧給水加熱器）、原子炉給水ポンプ駆動用蒸気タービン（不図示）によって駆動される高圧給水ヒートポンプ１１２、または、電動機（不図示）によって駆動される高圧給水ポンプ１１３を介し、高圧給水加熱器１１４（この場合、第１〜第２の２つの高圧給水加熱器）を経由して、給水として給水配管１１５によってタービン建物から原子炉建物内の原子炉圧力容器１００に戻される。
【００２５】
本実施形態における原子力発電プラントの場合、タービン建物内における給復水に係る系統配管のうち最上部（ハイベント側）に位置する配管（この場合、給水系で最も高い位置に配置された配管）に配設される空気注入装置２００と、復水系配管、または、復水系および給水系配管のうち最下部（ボトム部）に位置する配管に配設されるドレン調節装置３００とを有する原子力発電設備用水抜きシステムが接続可能となっている。
【００２６】
すなわち、この原子力発電プラントでは、系統配管のハイベント側に空気注入装置を１台、給復水系配管のボトム部にドレン調節装置を１〜２台設置することにより、系統配管のハイベント側に大気圧よりも高い圧力の圧縮空気を注入し、その空気圧を利用して水抜き側のドレン流量の安定化・水抜き作業の自動化を図ると共に、高い空気圧によって水を早く抜くことで省力化を図ることが可能となっている。
【００２７】
なお、ここでは、ドレン調節装置３００が復水系配管のボトム部に位置する配管に１台設置される場合について述べる。
【００２８】
具体的に、空気注入装置２００は、図２に示すように、原子力発電プラント内に配設される所内用圧縮空気系から送気される圧縮空気を貯留する圧縮空気槽１を備え、圧縮空気出口元弁２、圧縮空気遮断弁３、注入空気調節弁４を介して圧縮空気トラップチャンバ５に送気される。
【００２９】
圧縮空気トラップチャンバ５から送出された圧縮空気は、注入空気圧力ブロー弁６、注入空気ヘッダー出口弁８、注入空気接続ホース９、および、系統配管のハイベント側と接続する系統ベント弁１０を介して給復水系配管へと一定の圧力で送気され、系統配管内の水を空気と置換する。
【００３０】
このとき、系統配管のハイベント側は、給水系で最も高い位置の配管であるので、給水系を止めて隔離弁を閉めた状態であれば、ハイベントの圧力は大気圧と同等となっているため、系統配管から水が逆流することはない。すなわち、給復水系の系統ベント弁１０ａを開放し、系統水が０系統ベント弁１０ａから流出しないことで、他系統からの漏込みがないことを確認した後、全閉する。
【００３１】
しかし、万が一にも、給水系配管に大気圧以上の圧力がかかっていたり、他系統からの漏れ込みがあったり等、系統圧が「０」であるはずのところが実際には正圧になっていたりすると逆流を起こす場合がある。このため、注入空気出口逆止弁７を設けると共に、その上流側に圧縮空気トラップチャンバ５を設けることで、圧縮空気槽１側に逆流水が流入しないようになっている。加えて、圧縮空気槽１にはドレントラップ１３が設けられている。このように、逆流水が仮に汚染されていた場合であっても、圧縮空気トラップチャンバ５およびドレントラップ１３，１４によってトラップすることで、圧縮空気槽１に汚染が広がることを未然に回避可能としている。
【００３２】
また、水抜き作業終了後は、圧縮空気が系統配管に滞留しているため、安全のために圧縮空気をブローしなければならない。このため、注入空気圧力ブロー弁６などの電磁弁を設け、その先に活性炭、または、ヘパフィルタ等の高性能フィルタによる排気処理装置１１を配置して排気処理した後、原子炉建物空調換気系、または、タービン建物空調換気系に接続された空調排気ダクト１２に送気することで、圧縮空気が直接外部に流出するのを防止して、排気処理装置１１から排出される圧縮空気が拡散しないようになっている。すなわち、系統配管に滞留した放射性物質で汚染された可能性のある空気を安全に処理することができるようになっている。
【００３３】
さらに、圧縮空気はベント弁６ａを介して、他系統（例えば、非常用炉心冷却系や炉浄化系等）のハイベント側に設けられたベント弁とも接続可能となっており、他系統の水抜き操作にも利用できるようになっている。
【００３４】
また、圧縮空気遮断弁３および注入空気圧力ブロー弁６は、空気注入装置２００を遠隔操作するための遠隔スイッチ１５および装置起動スイッチ１５ａが、後述する図３に示すドレン調整装置３００のドレン調節弁制御器２３を介してボトムドレン調節弁１９と接続されることにより、配管の水抜きが完了されると、復水入口母管レベルスイッチ１８が動作することで圧縮空気の注入を遮断し、系統内空気の圧力ブロー、および、排水のためのベントとして機能するようになっている。
【００３５】
なお、空気注入装置２００は、通常、原子力発電プラントに接続されておらず、水抜き作業時にのみ接続するようになっているため、使用時は耐圧ホースからなる注入空気接続ホース９を介して接続することで、系統の運転に支障を来たすことはない。
【００３６】
ドレン調節装置３００は、図３に示すように、復水系配管のボトム部に位置する配管である復水ポンプ入口母管１６（例えば、ドレン弁配管口径が最も大きな低圧復水ポンプ１０９の入口母管）に既設された復水ポンプ入口母管ドレン弁１７を介して設置され、ドレン流量を調節するようになっている。なお、通常は復水ポンプ入口母管１６側の復水ポンプ入口母管ドレン弁１７が全閉、且つ、プラグが打ってあることにより、ドレン調節装置３００が切り離されており、水抜き作業時に接続可能となっている。
【００３７】
ドレン調節装置３００では、復水ポンプ入口母管１６から復水ポンプ入口母管ドレン弁１７を介して配管内の復水が流入し、復水入口母管レベルスイッチ１８、ボトムドレン調節弁１９、ドレンファンネル２０を介して、サンプタンク２１へと貯留するようになっている。このとき、復水はドレンファンネル２０を介すことなく、直接、サンプタンク２１へと流入するようにしても良い。
【００３８】
サンプタンク２１には、ドレンサンプレベルスイッチ２２，サンプポンプ２３が設けられており、ドレンサンプレベルスイッチ２２はボトムドレン調節弁１９と接続されている。サンプタンク２１では、他系統で水抜き作業をしている場合、当該他系統からのドレンが流入することで水位が高くなる方向となる。この場合、復水系のブローは、一旦、ボトムドレン調節弁１９に絞り信号を入れることで、サンプタンク２１の水位レベルが大きくならないようにする。
【００３９】
ドレンサンプレベルスイッチ２２によって検出されたサンプタンク２１の水位が低いと、ポンプ停止・調節弁開信号を送信し、サンプポンプ２３を停止してボトムドレン調節弁１９を開状態とする。また、サンプタンク２１の水位が高いとサンプポンプ２３を起動する。さらに、ドレンサンプレベルスイッチ２２によって検出された水位が許容範囲内よりも高くなると、調節弁閉信号を送信し、ボトムドレン調節弁１９を閉状態とする。このように、配管系統内の静水頭の変化、または、サンプタンクの水位変化によって、ボトムドレン調節弁１９の開度を調整することで注入している空気圧力が変化するため、空気注入圧力を検知して注入空気調節弁４が開閉し、注入圧力を調節する。
【００４０】
このとき、ボトムドレン調節弁１９は、ドレン量を一定にするように流量を調節するのではなく、サンプポンプ２３の水位が一定水位となるように（すなわち、サンプポンプ２３を停止−起動の間で、ＯＮ−ＯＦＦ運転できるように）調節する。
【００４１】
復水入口母管レベルスイッチ１８は、復水ポンプ入口母管１６から水が抜けることで当該復水ポンプ入口母管１６における水のレベルが下がってくると作動し、ボトムドレン調節弁１９を閉状態とする。復水入口母管レベルスイッチ１８が作動する状態となれば、一旦、自動での水抜き作業は停止する。ボトムドレン調節弁１９をマニュアル操作（手動）で開状態とすれば、再度、ブロー操作は継続可能となる。
【００４２】
水抜き作業中は、ボトムドレン調節弁１９により、サンプタンクの水位が高および低の範囲内になるよう適切に流量コントロールする。これにより、他系統の水抜き作業を同時並行で実施している場合、サンプポンプ２３を運転してもサンプタンクの水位が上昇している場合はボトムドレン調節弁１９側で絞るため、サンプタンク２１のオーバーフローの可能性が抑制される。そのため、サンプタンク２１に接続されるドレン配管のうち、流入するドレン流量が相対的に大きい復水系母管に装置を設置する。
【００４３】
空気注入装置２００により圧縮空気が注入され、復水入口母管レベルスイッチ１８により配管内水位が低下したことを検知すると、この検知結果を空気注入装置２００側へ伝達し、圧縮空気の注入を遮断、および、排気処理装置１１による空気圧力ブロー、ベントライン形成を行う。ボトムドレン調節弁１９は、サンプタンク２１の水位制御を継続する。但し、ボトムドレン調節弁１９を手動で全開したい場合は任意で自動制御から手動制御に切り替えることも可能である。
【００４４】
ここで、かかる原子力発電設備用水抜きシステムの使用手順について説明する。まず、給復水系の隔離を実施し、系統隔離弁および動的機器の電源隔離を行う。次に、給復水系の系統ベント弁１０ａを開放し、系統水がベント弁から流出しないことで、他系統からの漏込みがないことを確認した後、全閉する。続いて、空気注入装置２００の注入空気接続ホース９を系統ベント弁１０に接続し、ボトムドレン調節弁１９が全閉していることを確認した後、復水ポンプ入口母管１６の図３における紙面上側、および、下側に位置する復水ポンプ入口母管ドレン弁１７を全開する。
【００４５】
次に、空気注入装置２００の注入空気ヘッダー出口弁８、系統ベント弁１０、および、圧縮空気出口元弁２を全開する。装置起動スイッチ１５ａを起動すると、ＡＯ弁である圧縮空気遮断弁３が全開、注入空気調節弁４が調節開、ドレン調節装置３００のボトムドレン調節弁１９が調整開となることで、水抜き作業が開始されたことを確認する。
【００４６】
次いで、ドレン調節装置３００の復水入口母管レベルスイッチ１８が作動して水抜き作業が終了後、空気注入装置２００の圧縮空気遮断弁３が全閉、注入空気調節弁４が全閉することを確認する。その後、系統圧力ブローのため、電磁弁である注入空気圧力ブロー弁６が全開する。この系統圧力ブロー後、ベント弁６ａが全開して、系統のベントとなる。
【００４７】
次に、ボトムドレン調節弁１９からの残水がなくなることをドレンファンネル２０で確認する。そして、水抜き作業完了後、装置起動スイッチ１５ａにより、動作を停止すると、電磁弁がすべて全閉となる。この後、装置起動のために全開した手動弁を全て全閉し、注入空気接続ホース９を取り外す。
【００４８】
以上、説明したように、本発明の実施形態による原子力発電設備用水抜きシステムによれば、系統配管のハイベント側に空気注入装置２００を１台、給復水系のボトム部にドレン調節装置３００を１台（乃至必要に応じて２台）設置することにより、系統配管のハイベント側に大気圧よりも高い圧力の圧縮空気を注入し、その空気圧を利用して水抜き側のドレン流量の安定化・水抜き作業の自動化を図ると共に、高い空気圧によって水を早く抜くことで省力化を図ることができる。
【００４９】
このとき、系統配管のハイベント側には圧縮空気槽１を設けた所内用空気系から圧縮空気を送気する。また、ボトム部にはサンプタンク２１の水位調節機能を有するボトムドレン調節弁１９を配設して、サンプ水位を自動で監視しながらドレン流量を調節する。
【００５０】
系統配管の隔離実施後、空気注入装置２００とドレン調節装置３００のみで系統配管の水抜き作業を行い、ドレンサンプレベルスイッチ２２によりサンプタンク２１の水位を検知しながら圧縮空気を遮断し完了とする。その他、配管における図示省略するＵ字配管等の溜り水は、後程、手動弁を数箇所開放するだけで、配管内の水抜き作業が完了する。
【００５１】
本システムにおいて、ベント弁６ａの設置は１箇所で良く（但し、配管途中に逆止弁が設置されて圧縮空気が送気できない場合は複数個所必要）、またドレン弁（復水ポンプ入口母管ドレン弁１７など）の設置も数箇所で良いため、水抜き作業にかかる人員および労力を大幅に削減できる。
【００５２】
これにより、このような水抜き作業の自動化を図ることができ、当該水抜き作業にかかる人員および労力を大幅に削減できる。
【００５３】
なお、本発明は、請求の範囲および明細書全体から読み取ることのできる発明の要旨または思想に反しない範囲で適宜変更可能であり、そのような変更を伴う水抜き装置もまた本発明の技術思想に含まれる。
【００５４】
例えば、上述した実施形態では、原子力発電設備用水抜きシステムとして、自動で操作可能な空気注入装置２００とドレン調節装置３００とを備える場合について述べたが、本発明はこれに限らず、この他、例えば、空気注入装置２００およびドレン調節装置３００の構成を簡易にして、手動で操作するようにしても良い。
【００５５】
すなわち、本発明の原子力発電設備用水抜きシステムとしては、図２との対応部分に同一符号を付した図４に示す空気注入装置４００、および、図３との対応部分に同一符号を付した図５に示すドレン調節装置５００を備えるようにしても良い。
【００５６】
具体的に、空気注入装置４００およびドレン調節装置５００は、自動で操作可能な空気注入装置２００およびドレン調節装置３００から自動制御機能を省いた簡易版である。空気注入装置４００は、圧縮空気遮断弁３、注入空気ヘッダー出口弁８を割愛し、注入空気調節弁４を注入空気出口逆止弁７の直近の下流側に移動して、注入空気圧力ブロー弁６を手動式の調節弁とする構成以外は、上述した図２に示す空気注入装置２００とほぼ同様に構成されている。
【００５７】
また、ドレン調節装置５００は、復水ポンプ入口母管１６に対する復水ポンプ入口母管ドレン弁１７の配置が一系統となり、復水入口母管レベルスイッチ１８およびボトムドレン調節弁制御器２４が割愛され、復水ポンプドレン流量発信器２５が設けられ、ボトムドレン調節弁１９を手動式の調節弁とする構成以外は、上述した図３に示すドレン調節装置３００とほぼ同様に構成されている。
【００５８】
また、使用方法は自動調節である装置２００，３００とほぼ同一であり，空気注入流量およびサンプ水位の監視は作業員が任意に行い、ドレン流量の調節はサンプ水位によってコントロールするのではなく、ドレン流量を一定に制御することで簡素化を図る構造としている。このような簡易版では、既設設備になるべく改造を施すことなく、安価に構築できる構造としている。
【００５９】
すなわち、簡易版の空気注入装置４００およびドレン調節装置５００を備えた原子力発電設備用水抜きシステムでは、まず、給復水系の隔離を実施し、系統隔離弁および動的機器の電源隔離を行う。次に、給復水系の系統ベント弁１０ａを開状態とし、系統配管内の水が系統ベント弁１０ａから流入してこないことを確認して他系統からの漏込みがないことを確認した後、全閉状態とする。
【００６０】
続いて、空気注入装置４００の注入空気接続ホース９を系統ベント弁１０に接続して、ドレン調節装置５００のボトムドレン調節弁１９が全閉していることを確認し、復水ポンプ入口母管ドレン弁１７を全開する。次いで、系統ベント弁１０および圧縮空気出口元弁２を全開し、注入空気調節弁４を開調整して系統配管内に空気を注入する。
【００６１】
この後、ボトムドレン調節弁１９からのドレン流量によって水抜き作業が終了したのを確認すると、圧縮空気出口元弁２を全閉すると共に、系統圧力ブローのため、注入空気調節弁４を全開して注入空気圧力ブロー弁６を全開する。
【００６２】
そして、系統ベント弁１０を全開しベントとし、ボトムドレン調節弁１９からの残水がなくなることをドレンファンネル２０で再度確認する。水抜き作業完了後、手動で開放した弁をすべて全閉し、注入空気接続ホース９を取り外す。
【００６３】
なお、上述した実施形態では、原子力発電プラントとして、改良沸騰水型原子力発電設備を用いたが、本発明はこれに限らず、この他、沸騰水型原子力発電設備（ＢＷＲ：Boiling Water Reactor）等にも適用可能である。
【符号の説明】
【００６４】
１  圧縮空気槽
２  圧縮空気出口元弁
３  圧縮空気遮断弁
４  注入空気調節弁
５  圧縮空気トラップチャンバ
６  注入空気圧力ブロー弁
６ａ  ベント弁
７  注入空気出口逆止弁
８  注入空気ヘッダー出口弁
９  注入空気接続ホース
１０，１０ａ  系統ベント弁
１１  排気処理装置
１２  空調排気ダクト
１３，１４  ドレントラップ
１５  遠隔スイッチ
１５ａ  装置起動スイッチ
１６  復水ポンプ入口母管
１７  復水ポンプ入口母管ドレン弁
１８  復水入口母管レベルスイッチ
１９  ボトムドレン調節弁
２０  ドレンファンネル
２１  サンプタンク
２２  ドレンサンプレベルスイッチ
２３  サンプポンプ
２４  ボトムドレン調節弁制御器
２５  復水ポンプドレン流量発信器
５０  主変圧器
５１  送電線
６０  気体廃棄物処理系
６１  排気塔
１００  原子炉圧力容器
１０１  タービン
１０１ａ  高圧タービン
１０１ｂ  低圧タービン
１０１ｃ  湿分分離加熱器
１０２  炉心
１０４  主蒸気管
１０５  発電機
１０６  タービンバイパス配管
１０７  タービンバイパス弁
１０８  復水器
１０９  低圧復水ポンプ
１１０  高圧復水ポンプ
１１１  低圧給水加熱器
１１２  高圧給水ヒートポンプ
１１３  高圧給水ポンプ
１１４  高圧給水加熱器
１１５  給水配管
２００，４００  空気注入装置
３００，５００  ドレン調節装置
【図１】
2017067669.tif 000003
【図２】
2017067669.tif 000004
【図３】
2017067669.tif 000005
【図４】
2017067669.tif 000006
【図５】
2017067669.tif 000007